(57)【要約】【課題】  本考案は、植木鉢の外周面に、メッセージとして文字や、写真や、絵画やマーク等を、表示した植木鉢である。その主な用途は、『ペットのお墓としての植木鉢』又は、『メッセージ入りの贈答用としての植木鉢』であるが、それ以外でも良い。【解決手段】  本考案の形は多種であり、その材質も上やプラスチックなどの高分子化合物や合成樹脂でも、ガラス類でも金属類でも、タイル類や合板を含む木製類や紙類や布類や合成繊維でも、特殊な素材でも良い。  外周面に表示されるメッセージ（文字、写真、絵画、マーク、又はそれらの複数）は、植木鉢本体に造形しても良いし、同じ材質又は異なった材質のものに表示し、それを貼り付けても良い。【選択図】図１
0003213185.tif 000002
【実用新案登録請求の範囲】
【請求項１】
外周面及び底面を有し、上面が開口した本体と、外周面には、メッセージ（文字のみ、又は文字及び写真、又は写真のみ、又は絵画のみ、又はマークのみ、又は文字及び絵画、又は文字及びマーク、又は写真及びマーク、又は絵画及びマーク、又は文字及び写真及びマーク、又は文字及び絵画及びマーク）を、情報として表示させた事を特徴とする植木鉢。
【請求項２】
ペットの名前、ペットの生涯期間、ペットの写真、ペットと飼い主を含む家族の写真、ペットへ贈る言葉、ペットの生い立ちや歴史、ペットのマークや似顔絵、ペットの家族構成、ペットに関する情報を、メッセージとして表示させた事を特徴とする、請求項１記載の植木鉢。
【請求項３】
お祝いの言葉、記念を表す言葉、慰めの言葉、誓いの言葉、励ましの言葉、弔いの言葉、伝えたい言葉、写真、日付け、期間、生い立ちや歴史、マークや似顔絵、家族構成、名前、イニシャル、グループや集団や団体や派閥や同期等の名前、多種の情報を、メッセージとして表示させた事を特徴とする、請求項１記載の植木鉢。
【考案の詳細な説明】
【技術分野】
【０００１】  本考案は、文字と写真、又は文字のみ、又は写真のみ、又は絵画のみ、又はマークのみ、又は文字と絵画、又は文字とマーク、又は写真とマーク、又は絵画とマーク、又は文字と写真とマーク、又は文字と絵画とマークを表示した、植木鉢に関するものである。
【背景技術】
【０００２】  特許文献１には、『透明のアクリル製の二層構造の植木鉢に、写真を入れる』事が、記載されている。
今まで、メッセージや写真や絵画等を、表示する植木鉢は無かった。
今まで植木鉢は、植物を植える為の鉢という用途しか無かった。
今まで、贈答用又は記念品として植木他の植物を植木鉢であげる場合、相手に対するメッセージは、カード他の別物を用意するという方法しか無かった。
今までペットの埋葬方法は、基本的に『庭に埋める』、『動物霊園に埋葬する』、『家で骨壺に入れておく』という、３つの方法しか無かった。
【先行技術文献】
【特許文献】
【０００３】
【特許文献１】特開  ２００２−３４５６１３  号広報
【考案の概要】
【考案が解決しようとする課題】
【０００４】  ペットに対するメモリアルや、冠婚葬祭や記念日などに思い出を残す為や、相手に気持ちを伝える事を目的とする、植木鉢を提供する。
この植木鉢を、どの様に活用するかは使用者の自由であるが、特に可能性の高い（代表的な）、『ペットのお墓としての植木鉢』と、『贈答品としての植木鉢』の２点に関して、従来の問題点に対する課題を記載する。
先ずは、『ペットのお墓としての植木鉢』に関して、従来の問題点に対する課題を記載する。
現在においてペットの埋葬は、『庭に埋める』、『動物霊園に埋葬する』、『家で骨壺に入れておく』という、ほぼ３つの方法である。
この方法には、其々に問題があり、よって其々に課題がある。
『庭に埋める』という方法は、庭を有する戸建ての住宅であれば問題は無いのだが、都会地域の場合その多くが、マンションやアパート等の集合住宅という傾向にあり、その場合、遺骨を埋める為の庭が無いので、この方法は不可能である。
また、地方（例えば、福井県の敦賀の地域他）によっては、昔から庭に猫などのお墓を作ると、縁起が悪いなどと『庭に埋める』という選択を避ける地域もあり、この方法が実行されない状況がある。
これらの問題に対する課題は、『庭の無い住居において、ペットのお墓を、どう設けるか？』である。
その場合、『動物霊園に埋葬する』又は、『家で骨壺に入れておく』という埋葬方法を、選択せざるをえない訳なのだが、この２つの方法にも問題と、それに対する課題がある。
『動物霊園に埋葬する』の問題は、埋葬料が高額であれば、経済面での問題。
動物霊園が居住地から離れている場合は、利便性と、精神面と、経済面での問題。
また、転居や転勤によって、動物霊園から遠方になってしまう可能性もある等、多くの不安要素・問題がある。
また昨今では、動物霊園の運営会社の経営破綻により、埋葬されていたペットの遺骨が、断りもなく処分されるという事態も起こっており、この方法に不安を抱くペットの飼い主も多い。
これらの問題に対する課題は、『経済的に負担がなるべく掛からず、且つ身近にお墓を設ける事は出来ないか？』である。
そして、『家で骨壺に入れておく』の問題は、骨壺という『死』を連想させる物が身近（室内）にある事で、飼い主にとって、ペットが亡くなったという喪失感からくる『ペットロスの状況』が、なかなか癒されずに、その状況から、なかなか脱却出来ないという事があげられる。
また、多頭飼いの場合や、もしくは一頭飼いの場合であっても時間が経過するにつれて、次第に骨壺の数が多くなってしまい、それらの置き場に困る状況も問題である。
これらの問題に対する課題は、『悲しい気持ちを増幅させる事のないお墓は、ないか？』である。
この様に多くの問題と、それに対する課題が有りながらも、今まで埋葬方法は、『庭に埋める』『動物霊園に埋葬する』、『家で骨壺に入れておく』という、３つの埋葬方法以外、ほぼ選択肢は無かった。
これらの状況下、諸々の問題点を踏まえて課題点を解決する為に、第４番目の選択肢として、本考案の『ペットのお墓としての植木鉢』がある。
この植木鉢によって、問題に対する課題が解決される事が望まれる。
つまり、『庭の無い集合住宅に住むペットの飼い主でも、お墓を持つ事が可能』であり、『飼い主の身近にお墓を置ける事が可能であり、そのお墓を移動させる事も可能』という利点が生じ、『見た目が、死を連想させない形であり、ペットロスから脱却しやすい』や、『新たな生に繋げる事が可能なので、幸福感を有する事が可能』など、精神面の安定の一助と成り得る事が望まれる等、多くの問題が解決される事が期待される。
これらの用途を有する植木鉢を提供する事を、課題とする。
次に、『贈答品としての植木鉢』に関して、従来の問題点に対する課題を記載する。
お祝いや、記念日などに、お花や植木などの植物を、植木鉢で贈るという事は今まであった。その際、メッセージは、カード等に記載する形が取られてきた。
このカードでメッセージを贈るという方法には、問題とそれに対する課題がある。
それは、カードであれば別に保管する事となり、紛失の可能性があるという点。
また、メッセージカードを見ない限り、贈られた植木鉢に入れられた植物を見ただけでは、メッセージを確認・再確認する事が出来ないという点。
また時間の経過によって、メッセージカードの内容を、忘れてしまうという点である。
本考案は、この様な多種の問題に対して、解決する事を課題とする。
【考案を解決するための手段】
【０００５】  本考案である植木鉢の材料・材質は、土による陶器や磁器でも、プラスチックなどの高分子化合物や合成樹脂でも、ガラス類でも、金属類でも、タイル類や、合板を含む木製類や、紙類や、布類や合成繊維、特殊な素材類でも良い。
好ましくは、粘土を材料・材質とする陶磁器が良い。
また、本考案の外周面に表示されるメッセージ（文字、写真、絵、マーク）は、植木鉢本体に造形しても良いし、植木鉢本体と同じ材質、又は異なった材質のものに表示して、それを植木鉢本体に貼り付けても良い。
本考案である植木鉢の形は、上面も底面も円形であり上面よりも底面が狭いいわゆる普通の植木鉢の形が基本的な形であるが、それ以外に、円柱形でも、三角柱形でも、四角柱形でも、円錐形でも、四角錐形でも、球形でも、ピラミッド型形でも、逆ピラミッド型形でも、上面及び底面が円形でも四角形でも五角形でも、六角形でも、それ以上の角形でも、上面と底面の形が異なっていても、同じでも、またそれ以外の形状でも良い。
つまり、お墓及び植木鉢としての用途が適うのならば、その形は問わない。
本考案である植木鉢の大きさ・寸法は、高さは、１ｃｍ以上３００ｃｍ以下を基本とする。
しかし、それ以下でも、それ以上でも良い。
また、上面及び底面の周囲の長さは、３ｃｍ以上５０００ｃｍ以下を基本とする。
しかし、それ以下でも、それ以上でも良い。
本考案である植木鉢の容量は、０．０１ｍ３以上１００ｍ３以下を基本とする。
しかし、それ以下でも、それ以上でも良い。
外周面に表示される、メッセージで使用される文字は、ローマ字、英文字、漢字、平仮名、カタカナ、ハングル文字、アラビア文字、タイ文字、ラテン文字、キリル文字、モンゴル文字、ペルシャ文字、ヘブライ文字、ベトナムの文字、中国の文字、インドの文字、インドネシアの文字、ビルマ文字など、インターネットで検索可能な文字全般を、記載する事が出来る。
しかし、それ以外でも良い。
そして、外周面に表示される写真は、その種類や内容は問わない。どの様な写真でも良い。また、その写真が白黒でもカラーでも、映像加工されていても良い。
メッセージの入れ方・表示方法は、限定されるものではないが、上段に『ペットの名前』や『贈る言葉』を表示し、中段に『ペットの写真』や『贈る言葉に則した写真』、又は『絵画やマーク』を表示し、下段に『生涯期間』や『記念の日付や期間』を表示するというものが、基本的な形である。
しかし、それ以外の表示内容・方法でも良い。
植木鉢の外周面にメッセージを表示する事で、植木鉢の用途の他、ペット等のお墓代わりの植木鉢としても、贈答用としても、用いる事が可能である。
【考案の効果】
【０００６】  本考案の代表的な用途である、『ペットのお墓としての植木鉢』と、『贈答用としての植木鉢』。この２つの、其々の考案の効果を記載する。
先ず、『ペットのお墓としての植木鉢』においては、ペットの遺骨を、土・植木等の植物と共に植木鉢に納め、その遺骨を有機肥料として活用する事で、植物を育成するという目的・効果を有する、植木鉢である。
つまり、この植木鉢をメモリアル用具として飾る事で、ペットのお墓代わりとして、活用する事が可能である。
更に、外周面に飼っていたペットの写真を表示する事は、お墓としての用途にとどまらず、遺影としての用途も兼ね備えるものである。
そして、この植木鉢で植物を育てるという事は、ある種ペットにとって、２回目の『生』を与える事であり、『ペットロス』に悩む飼い主の喪失感を緩和し、心が癒やされるという効果を、有するものである。
また、植木鉢という形態は、ベランダ等の屋外でも、居間などの室内にも置く事も可能であり、お墓として活用する場合、設置場所の選択の幅を広げられる事等、利便性において効果を有するものである。
そして、このお墓として活用が可能な植木鉢は、移動が可能なので、飼い主の転居や転勤などの際にも、持っていける訳であり、精神面としても、安心感・満足感を得られるという効果を有するものである。
外周面に表示されるメッセージ（名前や、言葉や、生涯期間などの文字と、写真、又は絵画や、マーク）によって飼い主は、ペットへの追憶を、その都度、日々、思い出させるという効果を有している。
次に、『贈答用としての植木鉢』においては、植木鉢を贈る事により、相手に思いを伝えられるという効果を有するものである。
本考案の様に、植木鉢にメッセージを表示する事で、従来の植木鉢にそえるメッセージカードを紛失するという事態を、回避する事が出来ると共に、贈り主の思いであるメッセージ内容を、その都度、日々、思い出させる効果を有している。
本考案の植木鉢は、『ペットのお墓としての植木鉢』としても、『贈答用としての植木鉢』としても、またそれ以外の用途としても、その利用法は自由であり、各人の自由な発想のもとに、用途の可能性は無限である。
【図面の簡単な説明】
【０００７】
【図１】  本考案の、基本的な形状・実施例を示す正面図である。
【考案を実施するための形態】
【０００８】  本考案の実施例によって説明する。
【実施例１】
【０００９】  『ペットのお墓としての植木鉢』の寸法は、高さ３６ｃｍ、上面の円の外径の直径３９ｃｍ、上面の円の内径の直径３５ｃｍ、底面の円の直径２２ｃｍ、植木鉢の厚
0003213185.tif 000003
外周面に表示されたメッセージは、
上段に『ＮＡＮＡ（ペットの名前）』を表記。
中段に『ナナの顔写真（ペットの顔写真）』を表記。
下段に『２０００〜２０１６（ペットであるナナの生涯期間）』を表記。
植木鉢本体の色は茶系色。メッセージの文字は白系色。
この様な寸法・内容の、この様な３段のメッセージを外周面に表記した、植木鉢を作り、ペットの骨を入れて、植物を植え、部屋に飾った。
この植木鉢を見る事で、ありし日のペットを思い出す事が出来た。
【実施例２】
【００１０】  『プレゼントとしての植木鉢』の寸法は、高さ２５ｃｍ、上面の円の外径の直径２８ｃｍ、上面の円の内径の直径２４ｃｍ、底面の円の直径２０ｃｍ、植木鉢の厚さ
0003213185.tif 000004
外周面に表示されたメッセージは、
上段に『Ｈｅｌｌｏ  Ｓｗｅｅｔ  Ｂａｂｙ（メッセージの言葉）』を表記。
中段に『生まれた赤ちゃんの顔写真』を表記。
下段に『２３ｔｈ  Ｊｕｎ．２０１６（赤ちゃんの誕生日）』を表記。
植木鉢本体の色は緑系色。メッセージの文字は茶系色。
この様な寸法・内容の、この様な３段のメッセージを外周面に表記した、植木鉢を作り、植物を植えて、部屋に飾った。
この植木鉢を見る度に、我が子の誕生の喜びを思い出す事が出来た。
【符号の説明】
【００１１】  １  植木鉢本体
２  上面の植木鉢の縁
３  外周面
４  メッセージ（ペットの名前）
５  メッセージ（ペットの写真）
６  メッセージ（ペットの生涯期間）
７  高台
８  底面部分
【図１】
0003213185.tif 000005
【手続補正書】
【提出日】平成29年8月3日(2017.8.3)
【手続補正１】
【補正対象書類名】実用新案登録請求の範囲
【補正対象項目名】全文
【補正方法】変更
【補正の内容】
【実用新案登録請求の範囲】
【請求項１】
外周面及び底面を有し、上面が開口した本体からなる植木鉢であって、
前記外周面には、文字のみ、文字及び写真、写真のみ、絵画のみ、マークのみ、文字及び絵画、文字及びマーク、写真及びマーク、絵画及びマーク、文字と写真及びマーク、又は文字と絵画及びマークからなる、メッセージを情報として表示させた事を特徴とする植木鉢。
【請求項２】
前記メッセージが、ペットの名前、ペットの生涯期間、ペットの写真、ペットと飼い主を含む家族の写真、ペットへ贈る言葉、ペットの生い立ちや歴史、ペットのマークや似顔絵、ペットの家族構成、又はペットに関する情報、を含む事を特徴とする、請求項１記載の植木鉢。
【請求項３】
前記メッセージが、お祝いの言葉、記念を表す言葉、慰めの言葉、誓いの言葉、励ましの言葉、弔いの言葉、伝えたい言葉、残したい言葉、写真、日付け、期間、生い立ちや歴史、マークや似顔絵、家族構成、名前、イニシャル、又はグループや集団や団体や研究機関や会社や派閥や学校や同期等の名前、を含む事を特徴とする、請求項１記載の植木鉢。